(57)【要約】【課題】抽水ホースを必要に応じて簡便に交換できるようにする。【解決手段】先端部に抽水ヘッド１を備えた抽水ホース２を設けるとともに、抽水ヘッドによる抽水作業を補助するための補助装置３に、その補助装置を遠隔作動させるための作動用ケーブル４を接続し、互いに連結した抽水ヘッドと補助装置とを管内に挿入して、補助装置を管外から遠隔作動させながら、管内に溜まっている水を抽水ホースを通して管外に吸引排出可能に設けてある抽水装置であって、抽水ホースと作動用ケーブルとを径方向で隣り合うように並設するとともに、抽水ヘッドと抽水ホースとを着脱自在に接続してある。【選択図】　　　　図１
2004144136.tif 000002
【特許請求の範囲】
【請求項１】
先端部に抽水ヘッドを備えた抽水ホースを設けるとともに、前記抽水ヘッドによる抽水作業を補助するための補助装置に、その補助装置を遠隔作動させるための作動用ケーブルを接続し、
互いに連結した前記抽水ヘッドと前記補助装置とを管内に挿入して、前記補助装置を管外から遠隔作動させながら、管内に溜まっている水を前記抽水ホースを通して管外に吸引排出可能に設けてある抽水装置であって、
前記抽水ホースと前記作動用ケーブルとを径方向で隣り合うように並設するとともに、前記抽水ヘッドと前記抽水ホースとを着脱自在に接続してある抽水装置。
【請求項２】
前記抽水ヘッドと前記補助装置とを着脱自在に連結する連結部を設けてある請求項１記載の抽水装置。
【請求項３】
前記連結部を、前記補助装置又は前記作動用ケーブルに対して着脱自在にクランプするクランプ部を前記抽水ヘッドに設けて構成してある請求項２記載の抽水装置。
【発明の詳細な説明】
【０００１】
【発明の属する技術分野】
本発明は、先端部に抽水ヘッドを備えた抽水ホースを設けるとともに、前記抽水ヘッドによる抽水作業を補助するための補助装置に、その補助装置を遠隔作動させるための作動用ケーブルを接続し、互いに連結した前記抽水ヘッドと前記補助装置とを管内に挿入して、前記補助装置を管外から遠隔作動させながら、管内に溜まっている水を前記抽水ホースを通して管外に吸引排出可能に設けてある抽水装置に関する。
【０００２】
【従来の技術】
従来の抽水装置では、管内の水の有無や管内での抽水ヘッドの位置などを管外から確認して、抽水ヘッドによる抽水作業を補助するために、ＣＣＤカメラや照明灯などを備えた補助装置に、その補助装置を遠隔作動させるための電力ケーブルや通信ケーブルなどの作動用ケーブルを接続し、作動用ケーブルを抽水ホースの中に通して互いに連結した抽水ヘッドと補助装置とを管内に挿入して、補助装置を管外から遠隔作動させながら、管内に溜まっている水を抽水ホースを通して管外に吸引排出できるように構成している（　例えば、特許文献１参照）　。
【０００３】
【特許文献１】
特開２００１−２６４２６１号公報
【０００４】
【発明が解決しようとする課題】
上記従来の技術によれば、抽水ホースの劣化や、作動用ケーブルを抽水ホースの中に通して抽水ヘッドと補助装置とを互いに連結してあるので、作動用ケーブルに比べて抽水ホースが損傷を受け易いが、このような抽水ホースの損傷以外にも、長期使用による抽水ホースの劣化などで、抽水ホースを交換する必要が生じたときは、それまで使用していた抽水ホースから作動用ケーブルを抜き出して、新たな抽水ホースの中にその作動用ケーブルを通す必要があり、抽水ホースの交換に手間を要する欠点がある。
本発明は上記実情に鑑みてなされたものであって、抽水ホースを必要に応じて簡便に交換できるようにすることを目的とする。
【０００５】
【課題を解決するための手段】
請求項１記載の発明の特徴構成は、先端部に抽水ヘッドを備えた抽水ホースを設けるとともに、前記抽水ヘッドによる抽水作業を補助するための補助装置に、その補助装置を遠隔作動させるための作動用ケーブルを接続し、互いに連結した前記抽水ヘッドと前記補助装置とを管内に挿入して、前記補助装置を管外から遠隔作動させながら、管内に溜まっている水を前記抽水ホースを通して管外に吸引排出可能に設けてある抽水装置であって、前記抽水ホースと前記作動用ケーブルとを径方向で隣り合うように並設するとともに、前記抽水ヘッドと前記抽水ホースとを着脱自在に接続してある点にある。
【０００６】
〔作用及び効果〕
抽水ホースと作動用ケーブルとを径方向で隣り合うように並設して、抽水ヘッドと抽水ホースとを着脱自在に接続してあるので、抽水ホースを交換する必要が生じたときは、抽水ヘッドと抽水ホースとの接続を外せば、従来のように、それまで使用していた抽水ホースから作動用ケーブルを抜き出したり、新たな抽水ホースの中にその作動用ケーブルを通したりすることなく、抽水ホースを交換することができ、抽水ホースを必要に応じて簡便に交換できる。
【０００７】
請求項２記載の発明の特徴構成は、前記抽水ヘッドと前記補助装置とを着脱自在に連結する連結部を設けてある点にある。
【０００８】
〔作用及び効果〕
抽水ホースと作動用ケーブルとを径方向で隣り合うように並設してあるだけでなく、抽水ヘッドと補助装置とを着脱自在に連結する連結部を設けてあるので、抽水ヘッドを抽水ホースに接続して単独で使用したい場合や、作動用ケーブルを接続してある補助装置を単独で使用したり、他の作業装置に組み合わせて使用したい場合に、抽水ヘッドと補助装置とを簡便に分離して使用できる。
【０００９】
請求項３記載の発明の特徴構成は、前記連結部を、前記補助装置又は前記作動用ケーブルに対して着脱自在にクランプするクランプ部を前記抽水ヘッドに設けて構成してある点にある。
【００１０】
〔作用及び効果〕
抽水ヘッドを補助装置又は作動用ケーブルに対して着脱自在にクランプして連結できるので、補助装置又は作動用ケーブルに連結用の特別な構造を設ける必要がなく、補助装置又は作動用ケーブルの構造の簡略化を図ることができる。
特に、作動用ケーブルに対して着脱自在にクランプするクランプ部を設けてある場合は、抽水ヘッドを作動用ケーブルを介して補助装置に連結できるので、抽水ヘッドと補助装置とを直に連結するような場合に比べて、コンパクトに連結でき、径の小さい管内でも容易に挿入できるとともに、補助装置よりも後方の任意の位置に抽水ヘッドを連結できるので、使い勝手が良い。
【００１１】
【発明の実施の形態】
以下に本発明の実施の形態を図面に基づいて説明する。
図１，図２は、地中に埋設してある都市ガス供給用配管Ｂの管内に溜まった水Ｗを抽水する本発明による抽水装置Ａを示し、先端部に抽水ヘッド１を備えた硬質樹脂製（　本実施形態では硬質ポリエチレン樹脂製）　の抽水ホース２を設けるとともに、その抽水ヘッド１による抽水作業を補助するための補助装置３に、その補助装置３を遠隔作動させるための作動用ケーブル４を接続してあり、抽水ホース２をジョイント５でポンプＰに接続し、作動用ケーブル４をモニタＭに接続してある。
【００１２】
そして、図２に示すように、抽水ホース２と作動用ケーブル４とを束ねて人為操作力で管内に押し込むことにより、互いに連結した抽水ヘッド１と補助装置３とを管内に挿入して、補助装置３を管外から遠隔作動させながら、管内に溜まっている水Ｗを抽水ホース２を通して管外に吸引排出可能に設けてある。
【００１３】
前記補助装置３は、管内の水Ｗの有無や管内での抽水ヘッド１の位置などを管外から確認して、抽水ヘッド１による抽水作業を補助するために、ＣＣＤカメラ６や前照灯７などを備え、ＣＣＤカメラ６や前照灯７などを遠隔作動させるための電力ケーブル８や通信ケーブル９などを束ねた作動用ケーブル４を接続してある。
【００１４】
前記抽水ヘッド１は、図３，図４に示すように、管内への挿入方向に沿って若干長い球形のヘッド本体１０を管内への挿入方向に沿って左右一対の分割ヘッド本体１１に分割するとともに、各分割ヘッド本体１１に可撓性を備えた導水管１２を接続し、抽水ホース２を着脱自在に接続する接続ケース１３に、これら導水管１２の導水方向下手側を合流させるように連通接続してある。
【００１５】
前記分割ヘッド本体１１の各々は、導水管１２に連通する多数の吸水口１４を管内への挿入方向に略直交する周方向に沿って備え、図５，図６に示すように、両分割ヘッド本体１１で作動用ケーブル４に対して着脱自在にクランプ（　把持）　するクランプ部１５を設けて、抽水ヘッド１と補助装置３とを着脱自在に連結する連結部を構成してある。
【００１６】
前記クランプ部１５は、各分割ヘッド本体１１の分割面１６のヘッド本体１０の中心軸から偏芯した位置に半割円筒状の凹部１７を長手方向に沿って形成して、両分割ヘッド本体１１で作動用ケーブル４を確実に挟み込めるように構成するとともに、凹部１７の間に作動用ケーブル４を挟み込んだ状態で、両分割ヘッド本体１１どうしをビス１８で一体に固定して、両分割ヘッド本体１１で作動用ケーブル４を着脱自在にクランプできるように構成してある。
【００１７】
そして、抽水ヘッド１を補助装置３近くの作動用ケーブル４にクランプさせて補助装置３に連結しておくとともに、図２に示したように、抽水ホース２と作動用ケーブル４とを径方向で隣り合うように並設して束ねた状態で、配管Ａの途中箇所に接続してある管内挿入治具１９を通して、抽水ヘッド１を補助装置３とともに管内に押し込み、前照灯７で照らした管内をＣＣＤカメラ６で撮影してその画像を地上側に設置したモニタＭで観察しながら管内を移動させて、管内に溜まった水Ｗを発見すると、地上側に設置したポンプＰを駆動して、地上側に吸引排出できるようにしてある。
【００１８】
前記管内挿入治具１９は、ノーブロー袋などを使用して、ガスの通流を維持した活管状態で配管Ｂに連通接続してあり、図７に示すように、補助装置３と抽水ヘッド１の管内への押し込み方向を案内するガイド板２０を下端に設けてあるガイド筒２１を挿入筒２２に回動自在に挿入して、このガイド筒２１の内側に、非使用時には弾性力で塞がっている貫通孔を備えた軟質ゴムなどで形成した弾性シール材２３を装着してある。
【００１９】
そして、補助装置３と抽水ヘッド１とを弾性力に抗して弾性シール材２３の貫通孔に押し込んで、抽水ホース２と作動用ケーブル４とを弾性シール材２３に挿通し、ガイド板２０が所望の押し込み方向に向くように回動させて、抽水ホース２と作動用ケーブル４とを管内に押し込むことにより、ガスの漏れ出しを防止しながら、抽水ヘッド１と補助装置３とを管内で移動させることができるようにしてある。
尚、抽水ホース２は、可撓性を損なわない範囲で硬くすれば、挿入距離を延ばすことができる。
【００２０】
〔その他の実施形態〕
１．本発明による抽水装置は、補助装置に対して着脱自在にクランプするクランプ部を抽水ヘッドに設けて、抽水ヘッドと補助装置とを着脱自在に連結する連結部を構成してあっても良い。
２．本発明による抽水装置は、抽水ヘッド又は抽水ホースに対して着脱自在にクランプするクランプ部を補助装置に設けて、抽水ヘッドと補助装置とを着脱自在に連結する連結部を構成してあっても良い。
３．本発明による抽水装置は、補助装置と作動用ケーブルとを着脱自在に接続してあっても良い。
４．本発明による抽水装置は、抽水ホースと作動用ケーブルとを束ねて、粘着テープやバンドなどで適宜結束してあっても良い。
【図面の簡単な説明】
【図１】抽水装置の斜視図
【図２】抽水装置の使用方法の説明図
【図３】要部の側面図
【図４】要部の斜視図
【図５】要部の側面図
【図６】要部の一部断面正面図
【図７】管内挿入治具の説明図
【符号の説明】
１　　抽水ヘッド
２　　抽水ホース
３　　補助装置
４　　作動用ケーブル
１５　連結部（　クランプ部）
【図１】
2004144136.tif 000003
【図２】
2004144136.tif 000004
【図３】
2004144136.tif 000005
【図４】
2004144136.tif 000006
【図５】
2004144136.tif 000007
【図６】
2004144136.tif 000008
【図７】
2004144136.tif 000009